(57)【要約】【課題】  被照射面に照射される光の照度の検出精度をさらに向上することを可能とする照度検出方法及び照度検出装置を提供する。【解決手段】  照度検出装置１００は、光が照射されるように構成された被照射面３００の法線に対して傾きを持って、被照射面３００上に配置された照度検出部１０を備える。照度検出装置１００は、被照射面３００の法線に対する照度検出部１０の傾きに基づいて、照度検出部１０によって検出された光の照度を、被照射面３００と略平行な基準平面における平面照度に変換する変換部２２を備える。【選択図】  図９
2010243199.tif 000002
【特許請求の範囲】
【請求項１】
光が照射されるように構成された被照射面の法線に対して傾きを持って、前記被照射面上に配置された照度検出部によって、前記被照射面に照射される光の照度を検出する照度検出方法であって、
前記被照射面の法線に対する前記照度検出部の傾きに基づいて、前記照度検出部によって検出された光の照度を、前記被照射面と略平行な基準平面における平面照度に変換するステップを備えることを特徴とする照度検出方法。
【請求項２】
光が照射されるように構成された被照射面の法線に対して傾きを持って、前記被照射面上に配置された照度検出部を備えた照度検出装置であって、
前記被照射面の法線に対する前記照度検出部の傾きに基づいて、前記照度検出部によって検出された光の照度を、前記被照射面と略平行な基準平面における平面照度に変換する変換部を備えることを特徴とする照度検出装置。
【請求項３】
前記被照射面の法線に対する前記照度検出部の傾きは可変であることを特徴とする請求項２に記載の照度検出装置。
【請求項４】
前記被照射面の法線に対する前記照度検出部の傾きを調整する調整部をさらに備え、
前記調整部は、前記照度検出部に入射する光量が最大となるように、前記被照射面の法線に対する前記照度検出部の傾きを調整することを特徴とする請求項２に記載の照度検出装置。
【請求項５】
前記被照射面に照射される光を出射する光源装置を撮像する撮像部と、
前記被照射面の法線に対する前記照度検出部の傾きを調整する調整部とをさらに備え、
前記調整部は、前記撮像部によって撮像された撮像画像に基づいて、前記光源装置の位置を特定し、
前記調整部は、前記光源装置の位置に基づいて、前記被照射面の法線に対する前記照度検出部の傾きを調整することを特徴とする請求項２に記載の照度検出装置。
【請求項６】
前記被照射面上には、前記照度検出部として、複数の照度検出部が設けられていることを特徴とする請求項２に記載の照度検出装置。
【発明の詳細な説明】
【技術分野】
【０００１】
本発明は、光が照射されるように構成された被照射面の法線に対して傾きを持って、被照射面上に配置された照度検出部によって、被照射面に照射される光の照度を検出する照度検出方法及び照度検出装置に関する。
【背景技術】
【０００２】
光が照射されるように構成された被照射面において、被照射面に照射される光の照度を測定する技術が知られている。具体的には、被照射面上に設けられた照度検出部（以下、照度センサ）によって、被照射面に照射される光の照度を検出する。
【０００３】
また、半球状のドームの開口部に照度センサを設けることによって、照度センサの検出精度を向上する技術が提案されている（例えば、特許文献１）。具体的には、ドームの内壁に拡散材料が塗布されており、ドームの内壁で拡散された光を照度センサが検出する。
【先行技術文献】
【特許文献】
【０００４】
【特許文献１】特開平５−２３１９３１号公報
【発明の概要】
【発明が解決しようとする課題】
【０００５】
ところで、照度センサの検出精度は、照度センサへの光の入射角に依存する。なお、上述したように、ドームの内壁で拡散された光を照度センサが検出することによって、照度センサの検出精度がある程度改善する。
【０００６】
しかしながら、例えば、鋭角な斜め投写を行う投写型映像表示装置では、被照射面（投写面）への光の入射角が非常に大きい。従って、照度センサの検出精度が不十分であった。
【０００７】
そこで、本発明は、上述した課題を解決するためになされたものであり、被照射面に照射される光の照度の検出精度をさらに向上することを可能とする照度検出方法及び照度検出装置を提供することを目的とする。
【課題を解決するための手段】
【０００８】
第１の特徴に係る照度検出方法は、光が照射されるように構成された被照射面（被照射面３００）の法線に対して傾きを持って、前記被照射面上に配置された照度検出部（照度検出部１０）によって、前記被照射面に照射される光の照度を検出する方法である。照度検出方法は、前記被照射面の法線に対する前記照度検出部の傾きに基づいて、前記照度検出部によって検出された光の照度を、前記被照射面と略平行な基準平面における平面照度に変換するステップを備える。
【０００９】
第２の特徴に係る照度検出装置は、光が照射されるように構成された被照射面（被照射面３００）の法線に対して傾きを持って、前記被照射面上に配置された照度検出部（照度検出部１０）を備える。照度検出装置は、前記被照射面の法線に対する前記照度検出部の傾きに基づいて、前記照度検出部によって検出された光の照度を、前記被照射面と略平行な基準平面における平面照度に変換する変換部（変換部２２）を備える。
【００１０】
第２の特徴において、照度検出装置は、前記被照射面の法線に対する前記照度検出部の傾きは可変である。
【００１１】
第２の特徴において、照度検出装置は、前記被照射面の法線に対する前記照度検出部の傾きを調整する調整部（調整部２１）をさらに備える。前記調整部は、前記照度検出部に入射する光量が最大となるように、前記被照射面の法線に対する前記照度検出部の傾きを調整する。
【００１２】
第２の特徴において、照度検出装置は、前記被照射面に照射される光を出射する光源装置を撮像する撮像部（撮像部６０）と、前記被照射面の法線に対する前記照度検出部の傾きを調整する調整部（調整部２１）とをさらに備える。前記調整部は、前記撮像部によって撮像された撮像画像に基づいて、前記光源装置の位置を特定する。前記調整部は、前記光源装置の位置に基づいて、前記被照射面の法線に対する前記照度検出部の傾きを調整する。
【００１３】
第２の特徴において、前記被照射面上には、前記照度検出部として、複数の照度検出部が設けられている。
【発明の効果】
【００１４】
本発明によれば、被照射面に照射される光の照度の検出精度をさらに向上することを可能とする照度検出方法及び照度検出装置を提供することができる。
【図面の簡単な説明】
【００１５】
【図１】第１実施形態に係る照度検出装置１００を示す図である。
【図２】第１実施形態に係る照度検出装置１００を示す図である。
【図３】第１実施形態に係る照度検出部１０を示す図である。
【図４】第１実施形態に係る照度検出部１０の指向性を示す図である。
【図５】第１実施形態に係る照度計プローブ１４の受光面積を示す図である。
【図６】第１実施形態に係る照度検出部１０の傾き調整を示す図である。
【図７】第１実施形態に係る照度検出部１０の傾き調整を示す図である。
【図８】第１実施形態に係る平面照度への変換を示す図である。
【図９】第１実施形態に係る照度検出装置１００の機能を示すブロック図である。
【図１０】第１実施形態に係る照度検出装置１００の動作を示すフロー図である。
【図１１】変更例１に係る照度検出装置１００を示す図である。
【図１２】変更例１に係る照度検出装置１００の機能を示すブロック図である。
【図１３】変更例１に係る照度検出装置１００の動作を示すフロー図である。
【図１４】変更例２に係る照度検出装置１００を示す図である。
【図１５】変更例２に係る照度検出装置１００の動作を示すフロー図である。
【発明を実施するための形態】
【００１６】
以下において、本発明の実施形態に係る照度検出装置及び照度検出方法について、図面を参照しながら説明する。なお、以下の図面の記載において、同一又は類似の部分には、同一又は類似の符号を付している。
【００１７】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１８】
［実施形態の概要］
実施形態に係る照度検出装置は、光が照射されるように構成された被照射面の法線に対して傾きを持って、被照射面上に配置された照度検出部を備える。照度検出装置は、被照射面の法線に対する照度検出部の傾きに基づいて、照度検出部によって検出された光の照度を、被照射面と略平行な基準平面における平面照度に変換する変換部を備える。
【００１９】
実施形態に係る照度検出方法は、光が照射されるように構成された被照射面の法線に対して傾きを持って、被照射面上に配置された照度検出部によって、被照射面に照射される光の照度を検出する方法である。照度検出方法は、被照射面の法線に対する照度検出部の傾きに基づいて、照度検出部によって検出された光の照度を、被照射面と略平行な基準平面における平面照度に変換するステップを備える。
【００２０】
実施形態では、照度検出部は、被照射面の法線に対して傾きを持って、被照射面上に配置される。従って、照度検出部に入射する光量が増大する。また、照度検出部への入射角度が０°に近づくため、照度検出部の検出精度が向上する。
【００２１】
実施形態では、被照射面の法線に対する照度検出部の傾きに基づいて、照度検出部によって検出された光の照度が、被照射面と略平行な基準平面における平面照度に変換される。このように、照度検出部の検出精度が向上した状態において、照度検出部で検出された光の照度が平面照度に変換されるため、被照射面に照射される光の照度の検出精度が向上する。
【００２２】
なお、平面照度は、照度検出部の受光面を被照射面と略平行な基準平面上に射影した場合に、基準平面上に射影された受光面に入射する単位面積あたりの光束である。
【００２３】
［第１実施形態］
（照度検出装置）
以下において、第１実施形態に係る照度検出装置について、図面を参照しながら説明する。図１及び図２は、第１実施形態に係る照度検出装置１００を示す図である。
【００２４】
図１及び図２に示すように、照度検出装置１００は、照度検出部１０と、制御ユニット２０と、スクリーン収容部３０と、支持体４０と、スクリーン５０とを有する。
【００２５】
照度検出部１０は、光が照射されるように構成された被照射面３００に対して傾きを持って、被照射面上に配置される。照度検出部１０は、被照射面に照射される光の照度、すなわち、単位面積あたりの光束を検出する。照度検出部１０は、例えば、照度センサなどである。
【００２６】
ここで、光量は、光束の時間積分によって表されるため、照度検出部１０は、光量を検出することも可能である。第１実施形態では、複数の照度検出部１０が被照射面上に配置される。なお、照度検出部１０の詳細については後述する（図３を参照）。
【００２７】
制御ユニット２０は、照度検出装置１００を制御する。制御ユニット２０は、照度検出部１０に接続される。制御ユニット２０は、例えば、パーソナルコンピュータなどの演算装置である。
【００２８】
スクリーン収容部３０は、支持体４０によって支持されており、スクリーン５０を収容する。スクリーン収容部３０は、例えば、スクリーン５０を巻き取ることによって、スクリーン５０を収容するように構成されている。
【００２９】
支持体４０は、スクリーン収容部３０を支持する。また、支持体４０は、被照射面上に配置される照度検出部１０を支持する。
【００３０】
スクリーン５０は、スクリーン収容部３０から引き出された状態で、被照射面上に配置された照度検出部１０を覆うように構成されている。スクリーン５０上には、後述する投写型映像表示装置２００から出射された映像光が照射される。すなわち、スクリーン５０上には映像が表示される。
【００３１】
（照度検出部）
以下において、第１実施形態に係る照度検出部について、図面を参照しながら説明する。図３は、第１実施形態に係る照度検出部１０を示す図である。
【００３２】
図３に示すように、照度検出部１０は、筐体１１と、第１回動体１２と、第２回動体１３と、照度計プローブ１４とを有する。
【００３３】
筐体１１は、第１回動体１２を収容する外枠を構成する。筐体１１は、第１回動体１２を回動可能に支持する。
【００３４】
第１回動体１２は、筐体１１によって回動可能に支持される。第１回動体１２は、β方向に回動可能に構成されている。第１回動体１２は、第２回動体１３を回動可能に支持する。すなわち、照度計プローブ１４の受光面の傾きは、β方向において、０°〜３６０°の範囲で可変である。
【００３５】
第２回動体１３は、第１回動体１２によって回動可能に支持される。第２回動体１３は、α方向（緯度方向）に回動可能に構成されている。第２回動体１３は、照度計プローブ１４を支持する。すなわち、照度計プローブ１４の受光面の傾きは、α方向において、−９０°〜９０°の範囲で可変である。
【００３６】
照度計プローブ１４は、被照射面に照射される光の照度を検出する。照度計プローブ１４は、図４に示すように、ある程度の指向性を有している。例えば、図４に示すように、照度計プローブ１４の受光面への光の入射角が０°〜６０°である場合には、照度の検出精度が良好である。一方で、照度計プローブ１４の受光面への光の入射角が６０°を超える場合いは、照度の検出精度が劣悪である。
【００３７】
例えば、ＪＩＳ規格で規定される一般型Ａ級照度計の検出精度は、入射角が６０°以下である場合には、最悪でも±１０％である。一方で、一般型Ａ級照度計の検出精度は、入射角が８０°である場合に、±３０％である。
【００３８】
ＪＩＳ規格で規定される一般型ＡＡ級照度計の検出精度は、入射角が６０°以下である場合には、最悪でも±７％である。一方で、一般型ＡＡ級照度計の検出精度は、入射角が８０°である場合に、±２５％である。
【００３９】
ＪＩＳ規格で規定される一般型精密級照度計の検出精度は、入射角が６０°以下である場合には、最悪でも±５％である。一方で、一般型精密級照度計の検出精度は、入射角が８０°である場合に、±２０％である。
【００４０】
ここで、第１回動体１２及び第２回動体１３の回動によって、照度計プローブ１４を任意の方向に向けることが可能であることに留意すべきである。すなわち、第１回動体１２及び第２回動体１３の回動によって、照度計プローブ１４の受光面への光の入射角を０°に近づけることが可能である。
【００４１】
なお、照度計プローブ１４の受光面への光の入射角が０°に近づくほど、照度計プローブ１４の受光面積が大きくなる。すなわち、照度計プローブ１４の受光面への光の入射角が０°に近づくほど、照度計プローブ１４の受光面に入射する光量が増大する。
【００４２】
具体的には、図５に示すように、照度計プローブ１４の受光面にＡ方向から光が照射されるケースについて例示する。照度計プローブ１４の受光面への光の入射角が０°である第１状態では、照度計プローブ１４の受光面積Ｓ１が最大であるため、照度計プローブ１４の受光面に入射する光量が最大である。一方で、照度計プローブ１４の受光面への光の入射角がθである第２状態では、照度計プローブ１４の受光面積Ｓ２が受光面積Ｓ１よりも小さいため、照度計プローブ１４の受光面に入射する光量が第１状態よりも減少する。
【００４３】
なお、第１状態の照度計プローブ１４によって検出された光の照度を“φ１”で表し、第２状態の照度計プローブ１４によって検出された光の照度を“φ２”で表すと、“φ２＝ｃｏｓθ×φ１”の関係が満たされる。
【００４４】
（照度検出部の傾き調整）
以下において、第１実施形態に係る照度検出部の傾き調整について、図面を参照しながら説明する。図６及び図７は、第１実施形態に係る照度検出部１０の傾き調整を説明するための図である。なお、以下においては、照度検出部１０の傾きは、照度計プローブ１４の受光面の法線の傾きと同義であることに留意すべきである。
【００４５】
図６及び図７に示すように、投写型映像表示装置２００から出射される光が被照射面３００の斜め下方向から被照射面３００に照射されるケースについて説明する。被照射面３００上には、複数の照度検出部１０（照度検出部１０Ａ、照度検出部１０Ｂ及び照度検出部１０Ｃ）が配置されている。
【００４６】
第１に、各照度検出部１０（照度計プローブ１４の受光面の法線）は、被照射面３００の法線に対して傾きを持たずに被照射面３００上に配置されるケースについて説明する。
【００４７】
このようなケースでは、図６に示すように、照度検出部１０Ｂに設けられた照度計プローブ１４の受光面への光の入射角が照度検出部１０Ｃに設けられた照度計プローブ１４の受光面への光の入射角よりも大きくなる。また、照度検出部１０Ａに設けられた照度計プローブ１４の受光面への光の入射角が照度検出部１０Ｂに設けられた照度計プローブ１４の受光面への光の入射角よりも大きくなる。すなわち、照度検出部１０Ｂの照度検出精度が照度検出部１０Ｃの照度検出精度よりも悪く、照度検出部１０Ａの照度検出精度が照度検出部１０Ｂの照度検出精度よりも悪い。
【００４８】
第２に、各照度検出部１０（照度計プローブ１４の受光面の法線）は、被照射面３００の法線に対して傾きを持って被照射面３００上に配置されるケースについて説明する。第１実施形態では、このように、各照度検出部１０は傾きを持って配置される。例えば、各照度検出部１０の傾きは、照度検出部１０（照度計プローブ１４）の受光面に入射する光量が最大となるように定められる。
【００４９】
このようなケースでは、図７に示すように、各照度検出部１０に設けられた照度計プローブ１４の受光面への光の入射角は略同じである。すなわち、各照度検出部１０に設けられた照度計プローブ１４の受光面への光の入射角が０°に近づく。
【００５０】
なお、照度計プローブ１４の傾き角に応じて、被照射面３００の法線方向における照度計プローブ１４の受光面と被照射面３００との距離（法線距離）は異なる。従って、被照射面３００の法線方向において、照度計プローブ１４の位置を調整する機構が設けられていてもよい。
【００５１】
（平面照度への変換）
以下において、第１実施形態に係る平面照度への変換について、図面を参照しながら説明する。図８は、第１実施形態に係る平面照度への変換を説明するための図である。
【００５２】
上述したように、第１実施形態では、各照度検出部１０（照度計プローブ１４）は、被照射面３００の法線に対して傾きを持って被照射面３００上に配置される。
【００５３】
ここで、各照度検出部１０（照度計プローブ１４）が傾いているため、各照度検出部１０（照度計プローブ１４）で検出された光の照度を用いても、被照射面３００における照度分布を正確に取得することができない。
【００５４】
第１実施形態では、各照度検出部１０（照度計プローブ１４）で検出された光の照度は、被照射面３００と略平行な基準平面における平面照度に変換される。平面照度は、照度計プローブ１４の受光面を基準平面上に射影した場合に、基準平面上に射影された受光面に入射する単位面積あたりの光束である。
【００５５】
図８に示すように、被照射面３００の法線を”ＮＬ１”で表し、照度計プローブ１４の受光面の法線を“ＮＬ２”で表す。照度計プローブ１４の受光面を“Ｓａ”で表し、基準平面上に射影された射影受光面を“Ｓｂ”で表す。受光面“Ｓａ”に入射する単位面積あたりの光束を“φａ”で表し、射影受光面“Ｓｂ”に入射する単位面積あたりの光束を“φｂ”で表す。
【００５６】
第１実施形態では、照度検出部１０（照度計プローブ１４）の傾きは、法線“ＮＬ１”に対する法線“ＮＬ２”の傾きθで定義される。
【００５７】
ここで、“φａ”及び“φｂ”の関係は、“φｂ＝ｃｏｓθ×φａ”で表される。すなわち、平面照度（すなわち、“φｂ”）は、照度計プローブ１４で検出された光の照度“φａ”に“ｃｏｓθ”を乗算した値である。
【００５８】
（照度検出装置の機能）
以下において、第１実施形態に係る照度検出装置の機能について、図面を参照しながら説明する。図９は、第１実施形態に係る照度検出装置１００の機能を示すブロック図である。
【００５９】
図９に示すように、照度検出装置１００は、照度検出部１０と、調整部２１と、変換部２２とを有する。
【００６０】
調整部２１は、各照度検出部１０（照度計プローブ１４）の傾きを個別に制御する。具体的には、調整部２１は、照度検出部１０（照度計プローブ１４の受光面）に入射する光量が最大となるように、照度検出部１０の傾きを調整する。また、調整部２１は、各照度検出部１０の傾きを変換部２２に出力する。
【００６１】
例えば、調整部２１は、照度検出部１０の傾きを少しずつ変更するスキャン動作によって、照度検出部１０に入射する光量が最大となる傾きを探す。
【００６２】
変換部２２は、照度検出部１０（照度計プローブ１４）で検出された光の照度を基準平面における平面照度に変換する。具体的には、変換部２２は、照度検出部１０で検出された光の照度に“ｃｏｓθ”を乗算して、平面照度を取得する。なお、“θ”は、上述したように、照度検出部１０の傾きである。
【００６３】
（照度検出装置の動作）
以下において、第１実施形態に係る照度検出装置の動作について、図面を参照しながら説明する。図１０は、第１実施形態に係る照度検出装置１００の動作を示すフロー図である。
【００６４】
図１０に示すように、ステップ１０において、照度検出装置１００は、制御対象の照度検出部１０の傾きを調整する。
【００６５】
ステップ２０において、照度検出装置１００は、制御対象の照度検出部１０に入射する光量が最大であるか否かを判定する。照度検出装置１００は、制御対象の照度検出部１０に入射する光量が最大である場合には、ステップ３０の処理に移る。照度検出装置１００は、制御対象の照度検出部１０に入射する光量が最大でない場合には、ステップ１０の処理に戻る。
【００６６】
ステップ３０において、照度検出装置１００は、制御対象の照度検出部１０によって照度を検出する。
【００６７】
ステップ４０において、照度検出装置１００は、全ての照度検出部１０によって照度を検出したか否かを判定する。照度検出装置１００は、全ての照度検出部１０によって照度を検出していない場合には、制御対象の照度検出部１０を変更した上で、ステップ１０の処理に移る。照度検出装置１００は、全ての照度検出部１０によって照度を検出した場合には、ステップ５０の処理に移る。
【００６８】
ステップ５０において、照度検出装置１００は、各照度検出部１０の傾きに応じて、各照度検出部１０で検出された光の照度を、基準平面における平面照度に変換する。
【００６９】
（作用及び効果）
第１実施形態では、照度検出部１０は、被照射面３００の法線に対して傾きを持って、被照射面３００上に配置される。従って、照度検出部１０（照度計プローブ１４の受光面）に入射する光量が増大する。また、照度検出部１０（照度計プローブ１４の受光面）への入射角度が０°に近づくため、照度検出部１０の検出精度が向上する。
【００７０】
第１実施形態では、被照射面３００の法線に対する照度検出部１０の傾きに基づいて、照度検出部１０によって検出された光の照度が、被照射面３００と略平行な基準平面における平面照度に変換される。このように、照度検出部１０の検出精度が向上した状態において、照度検出部１０で検出された光の照度が平面照度に変換されるため、被照射面３００に照射される光の照度の検出精度が向上する。
【００７１】
第１実施形態では、調整部２１は、照度検出部１０（照度計プローブ１４の受光面）に入射する光量が最大となるように、照度検出部１０の傾きを調整する。従って、手動の調整を省略しながら、照度検出部１０の検出精度向上を図ることができる。
【００７２】
［変更例１］
以下において、第１実施形態の変更例１について、図面を参照しながら説明する。変更例１では、第１実施形態との相違点について主として説明する。
【００７３】
具体的には、第１実施形態では、照度検出部１０の傾きは、照度検出部１０に入射する光量が最大となるように調整される。照度検出部１０に入射する光量が最大となる傾きは、スキャン動作によって見つけられる。
【００７４】
これに対して、変更例１では、照度検出部１０の傾きは、投写型映像表示装置２００と被照射面３００との位置関係によって調整される。投写型映像表示装置２００と被照射面３００との位置関係は、投写型映像表示装置２００の撮像画像によって特定される。
【００７５】
（照度検出装置の機能）
以下において、変更例１に係る照度検出装置の機能について、図面を参照しながら説明する。図１１は、変更例１に係る照度検出装置１００の機能を示すブロック図である。図１１では、図１と同様の構成について、同様の符号を付している。
【００７６】
図１１に示すように、照度検出装置１００は、図１に示す構成に加えて、撮像部６０を有する。図１１では、被照射面３００において、水平方向がｘ軸であり、垂直方向がｙ軸である。また、被照射面３００の法線方向がｚ軸である。
【００７７】
撮像部６０は、投写型映像表示装置２００を撮像するカメラなどである。撮像部６０は、例えば、被照射面３００に設けられる。なお、撮像部６０の位置は、ｘ軸、ｙ軸及びｚ軸によって定義される。撮像部６０の位置は、既知である。
【００７８】
（照度検出装置の機能）
以下において、変更例１に係る照度検出装置の機能について、図面を参照しながら説明する。図１２は、変更例１に係る照度検出装置１００を示すブロック図である。図１２では、図９と同様の構成について、同様の符号を付している。
【００７９】
図１２に示すように、照度検出装置１００は、図９に示す構成に加えて、撮像部６０を有する。
【００８０】
上述したように、撮像部６０の位置は既知であり、撮像部６０は、投写型映像表示装置２００を撮像する。
【００８１】
上述した調整部２１は、撮像部６０によって撮像された画像に基づいて、投写型映像表示装置２００と被照射面３００との位置関係を特定する。続いて、調整部２１は、投写型映像表示装置２００と被照射面３００との位置関係に基づいて、照度検出部１０の傾きを調整する。
【００８２】
具体的には、調整部２１は、撮像部６０によって撮像された画像に基づいて、投写型映像表示装置２００から光が出射される位置を特定する。調整部２１は、投写型映像表示装置２００から光が出射される位置に照度検出部１０が向くように照度検出部１０の傾きを調整する。
【００８３】
（照度検出装置の動作）
以下において、変更例１に係る照度検出装置の動作について、図面を参照しながら説明する。図１３は、変更例１に係る照度検出装置１００の動作を示すフロー図である。
【００８４】
図１３に示すように、ステップ１１０において、照度検出装置１００は、照度検出装置１００を撮像する。
【００８５】
ステップ１２０において、照度検出装置１００は、投写型映像表示装置２００の撮像画像に基づいて、各照度検出部１０の傾きを調整する。具体的には、照度検出装置１００は、投写型映像表示装置２００から光が出射される位置に各照度検出部１０が向くように、各照度検出部１０の傾きを調整する。
【００８６】
ステップ１３０において、照度検出装置１００は、制御対象の照度検出部１０によって照度を検出する。
【００８７】
ステップ１４０において、照度検出装置１００は、全ての照度検出部１０によって照度を検出したか否かを判定する。照度検出装置１００は、全ての照度検出部１０によって照度を検出していない場合には、制御対象の照度検出部１０を変更した上で、ステップ１３０の処理に戻る。照度検出装置１００は、全ての照度検出部１０によって照度を検出した場合には、ステップ１５０の処理に移る。
【００８８】
ステップ１５０において、照度検出装置１００は、各照度検出部１０の傾きに応じて、各照度検出部１０で検出された光の照度を、基準平面における平面照度に変換する。
【００８９】
（作用及び効果）
変更例１では、調整部２１は、投写型映像表示装置２００の撮像画像に基づいて、投写型映像表示装置２００と被照射面３００との位置関係を特定する。続いて、調整部２１は、投写型映像表示装置２００と被照射面３００との位置関係に基づいて、照度検出部１０の傾きを調整する。従って、手動の調整を省略しながら、照度検出部１０の検出精度向上を図ることができる。この結果、被照射面３００に照射される光の照度の検出精度を向上することができる。
【００９０】
［変更例２］
以下において、第１実施形態の変更例２について、図面を参照しながら説明する。以下においては、第１実施形態との相違点について説明する。
【００９１】
具体的には、第１実施形態では、照度検出部１０の傾きは、照度検出部１０に入射する光量が最大となるように調整される。照度検出部１０に入射する光量が最大となる傾きは、スキャン動作によって見つけられる。
【００９２】
これに対して、変更例２では、照度検出部１０の傾きは、投写型映像表示装置２００と被照射面３００との位置関係によって予め調整されている。投写型映像表示装置２００と被照射面３００との位置関係は既知である。
【００９３】
なお、変更例２では、投写型映像表示装置２００の出荷検査を行うケースについて例示する。
【００９４】
（照度検出装置の機能）
以下において、変更例２に係る照度検出装置の機能について、図面を参照しながら説明する。図１４は、変更例２に係る照度検出装置１００の機能を示すブロック図である。図１４では、図１と同様の構成について、同様の符号を付している。
【００９５】
図１４に示すように、投写型映像表示装置２００は、ベルトコンベア４００によって搬送される。ベルトコンベア４００は、予め定められた停止位置で停止し、投写型映像表示装置２００の出荷検査が終了した後に、投写型映像表示装置２００の搬送を再開するように構成されている。
【００９６】
ここで、ベルトコンベア４００の停止位置と照度検出装置１００との位置関係は固定的である。すなわち、投写型映像表示装置２００と被照射面３００との位置関係は既知である。
【００９７】
従って、照度検出部１０の傾きは、投写型映像表示装置２００（停止位置）と被照射面３００との位置関係によって予め調整されている。具体的には、変更例１と同様に、各照度検出部１０の傾きは、投写型映像表示装置２００から光が出射される位置に各照度検出部１０が向くように調整されている。
【００９８】
（照度検出装置の動作）
以下において、変更例２に係る照度検出装置の動作について、図面を参照しながら説明する。図１５は、変更例２に係る照度検出装置１００の動作を示すフロー図である。なお、図１５に示すフローは、ベルトコンベア４００が停止位置で停止した状態からの動作を示している。
【００９９】
図１５に示すように、ステップ２１０において、投写型映像表示装置２００の電源が投入されて、投写型映像表示装置２００を起動させる。
【０１００】
ステップ２２０において、投写型映像表示装置２００のアイドリングが行われる。また、投写型映像表示装置２００から出射される光量が十分な光量に達するまで、投写型映像表示装置２００のアイドリングを継続する。
【０１０１】
ステップ２３０において、照度検出装置１００は、制御対象の照度検出部１０によって照度を検出する。
【０１０２】
ステップ２４０において、照度検出装置１００は、全ての照度検出部１０によって照度を検出したか否かを判定する。照度検出装置１００は、全ての照度検出部１０によって照度を検出していない場合には、制御対象の照度検出部１０を変更した上で、ステップ２３０の処理に戻る。照度検出装置１００は、全ての照度検出部１０によって照度を検出した場合には、ステップ２５０の処理に移る。
【０１０３】
ステップ２５０において、照度検出装置１００は、各照度検出部１０の傾きに応じて、各照度検出部１０で検出された光の照度を、基準平面における平面照度に変換する。
【０１０４】
ステップ２６０において、照度検出装置１００は、平面照度が所定基準を満たすか否かを判定する。照度検出装置１００は、平面照度が所定基準を満たす場合には、ステップ２７０の処理に移る。照度検出装置１００は、平面照度が所定基準を満たさない場合には、ステップ２８０の処理に移る。
【０１０５】
ステップ２７０において、照度検出装置１００は、投写型映像表示装置２００の検査結果として合格判定を下す。
【０１０６】
ステップ２８０において、照度検出装置１００は、投写型映像表示装置２００の検査結果として不合格判定を下す。
【０１０７】
（作用及び効果）
変更例２では、投写型映像表示装置２００と被照射面３００との位置関係が既知である。従って、照度検出部１０の調整を省略しながら、照度検出部１０の検出精度向上を図ることができる。この結果、被照射面３００に照射される光の照度の検出精度を向上することができる。
【０１０８】
変更例２のように、投写型映像表示装置２００の出荷検査に実施形態を適用することによって、出荷検査の合否判定の精度が向上する。
【０１０９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１０】
実施形態では、被照射面３００に照射される光を出射する光源装置の一例として、投写型映像表示装置２００を例示したが、光源装置は、これに限定されるものではない。光源装置は、被照射面３００に照射される光を出射する装置であればよい。
【０１１１】
実施形態では、照度検出部１０の傾きは調整部２１によって調整されるが、実施形態はこれに限定されるものではない。照度検出部１０の傾きは、手動で調整されてもよい。
【符号の説明】
【０１１２】
１０・・・照度検出部、１１・・・筐体、１２・・・第１回動体、１３・・・第２回動体、１４・・・照度計プローブ、２０・・・制御ユニット、２１・・・調整部、２２・・・変換部、３０・・・スクリーン収容部、４０・・・支持体、５０・・・スクリーン、６０・・・撮像部、１００・・・照度検出装置、２００・・・投写型映像表示装置、３００・・・被照射面、４００・・・ベルトコンベア
【図１】
2010243199.tif 000003
【図２】
2010243199.tif 000004
【図３】
2010243199.tif 000005
【図４】
2010243199.tif 000006
【図５】
2010243199.tif 000007
【図６】
2010243199.tif 000008
【図７】
2010243199.tif 000009
【図８】
2010243199.tif 000010
【図９】
2010243199.tif 000011
【図１０】
2010243199.tif 000012
【図１１】
2010243199.tif 000013
【図１２】
2010243199.tif 000014
【図１３】
2010243199.tif 000015
【図１４】
2010243199.tif 000016
【図１５】
2010243199.tif 000017